(57)【特許請求の範囲】
【請求項１】
複数の柱状体と複数の横梁体で形成される空間構造体に組み込まれ、一対の水平パネルと一対の垂直パネルが環状に連結されて形成される矩形型の収納ユニットであって、
前記水平パネルは、該水平パネルの横方向にわたって前記収納ユニットが組み込まれる前記空間構造体の前記横梁体の一部が嵌め込み可能な幅を有する嵌め込み溝を有し、且つ該水平パネルの横方向に延びる溝であって該水平パネル上を覆う水平カバーに設けられた突起部が嵌め込み可能、且つ前記嵌め込み溝に平行な位置合わせ溝を有する
ことを特徴とする収納ユニット。
【請求項２】
前記水平パネルは、前記嵌め込み溝に平行且つ少なくとも二つの前記位置合わせ溝を有することを特徴とする請求項１に記載の収納ユニット。
【請求項３】
前記突起部は、外部部材との連結が可能な連結部を有し、
前記垂直パネルは、垂直カバーによって覆われ、且つ、前記外部部材が前記連結部と連結することで該垂直カバーが該水平カバーに連結された状態で該連結部を有する突起部が前記位置合わせ溝内に嵌め込まれる
ことを特徴とする請求項１又は請求項２に記載の収納ユニット。
【請求項４】
二つの前記収納ユニットが、それぞれの垂直パネルが対向するように並べられるとき、その垂直パネル間に所定幅の間隙が形成される
ことを特徴とする請求項１から請求項３の何れかに記載の収納ユニット。
【請求項５】
請求項１から請求項４の何れかに記載の前記収納ユニットを水平方向に一又は複数個および垂直方向に一又は複数個並べることで形成される収納構造体であって、
少なくとも、最上段の一又は複数の収納ユニットには共通する一の構造部材がそれぞれの上面の水平パネルの嵌め込み溝に組み込まれ、且つ最下段の一又は複数の収納ユニットには共通する他の構造部材がそれぞれの下面の水平パネルの嵌め込み溝に組み込まれる
ことを特徴とする収納構造体。
【発明の詳細な説明】
【技術分野】
【０００１】
本発明は、オフィスや展示場等において、使用する情報機器等を収納するとともに、そのオフィス等の規模等に応じて適切な収納スペースを構築するための収納ユニット、および該収納ユニットによって構成される収納構造体に関するものである。
【背景技術】
【０００２】
オフィス等において多くの人がその空間を利用する際の利便のための、様々な空間の構築方法に関する技術が公開されている。例えば、ポールとフレーム部材との組合せにより、堅牢で且つオフィス等の部屋に損傷を与えない空間構造体に関する技術が公開されている（特許文献１を参照。）。この技術においては、三本のポールと二本のフレーム部材とで構成され、フレーム部材の作る内角を１２０度とした最小共有空間構造体が開示されている。
【０００３】
また、空間構造体の構築にあたり、ユニット化された建築物を利用する技術が公開されている（例えば、特許文献２を参照。）。このユニット化された建築物は、一般に、建物本体の殆どを工場生産し、施工現場で基礎工事を終えた後に、トラック等で建物本体を施工現場に搬入して、基礎に連結固定し、しかる後に、必要な建具等のはめ込みや仕上げ工事を行うようになっている。そして、上記技術においては、ユニットを構成する壁面パネルに予め配線用のダクトスペースが区画形成されている。
【特許文献１】特開２００３−１３８７７１号公報
【特許文献２】特開２００３−４１６８９号公報
【発明の開示】
【発明が解決しようとする課題】
【０００４】
オフィス等に設けられる空間構造体において、該オフィス内で使用する情報機器等を収納するための収納スペースの構築も重要である。特に、この収納スペースは、該空間構造体の使用目的等に応じて、収納される対象物が変動するため、常時一定のままでは利用者の便が悪くなる虞がある。
【０００５】
本発明では、上記した問題に鑑み、空間構造体における収納スペースの構築にあたって、利用者の使用目的に応じて適宜収納スペースを構築することが可能となる、該収納スペース用の収納ユニットを提供することを目的とする。
【課題を解決するための手段】
【０００６】
上記課題を解決するために、本発明では、収納スペースを提供する収納構造体を、ユニット化した収納ユニットで構成するとともに、該収納ユニットを個別の４つのパネルで形成する。そして、そのパネルに、収納構造体を構築するために必要な、所定の目的をもった溝を設けることとした。これにより、収納ユニットの組合せによる収納構造体の構築が容易になり、且つその組合せを任意なものとすることができる。
【０００７】
詳細には、本発明は、一対の水平パネルと一対の垂直パネルが環状に連結されて形成される矩形型の収納ユニットであって、前記水平パネルは、該水平パネルの横方向にわたって前記収納ユニットが組み込まれる構造体の構造部材の一部が嵌め込み可能な嵌め込み溝を有し、且つ該水平パネルの横方向に延びる溝であって該水平パネル上を覆う水平カバーに設けられた突起部が嵌め込み可能な位置合わせ溝を有する。
【０００８】
本発明に係る収納ユニットは、空間構造体等における収納対象物を収納するための収納
構造体の最小単位である。従って、この収納ユニットを空間構造体での使用目的等の任意の目的に応じて複数個組み合わせることで、利用者の用途に応じた収納構造体が形成される。更に、この収納ユニットは分離可能な四枚のパネル（水平パネルが２枚と垂直パネルが２枚）から構成されるため、収納構造体を構築する前の段階では、各パネルごとに保存することで事前の収容に要する空間を小さく抑えることが可能である。
【０００９】
ここで、上記水平パネルには、嵌め込み溝と位置合わせ溝の二種類の溝が、それぞれの目的をもって形成されている。この嵌め込み溝は、空間構造体（上記の構造体）にこの収納ユニットを組み込んで使用するとき、この収納ユニットを支えるための支柱等の構造部材が嵌め込まれ、そこに収まるための空間を提供するものである。従って、収納ユニットは、この構造部材を内部に取り込むように構築されて収納構造体を形成するため、収納構造体の強度を確実なものにすることができるとともに、構造部材が外部から目につきにくい場所に存在することになるためデザイン性も優れている。
【００１０】
位置合わせ溝は、水平パネルの表面を覆う水平カバーが、該水平パネルの適切な位置に来るように位置合わせをするための空間を提供する。即ち、水平カバーの突起部とこの位置あわせ溝によって、該水平カバーの取り付け位置が決定される。この水平カバーは、主に収納構造体の外観のデザイン性向上を目的とする。また、この位置合わせ溝は、水平パネルの横方向に延びる溝である。これにより、水平カバーを水平パネルに装着するとき、水平カバーの突起部を滑り込ませるようにして水平パネルに装着することができるので、装着時の取り扱いがより良好となる。
【００１１】
ここで、上記の収納ユニットにおいて、前記水平パネルは、前記嵌め込み溝に平行且つ少なくとも二つの前記位置合わせ溝を有するようにしてもよい。嵌め込み溝と位置あわせ溝とを水平に設けることで、収納ユニットを収納構造体に取り付けた後での水平カバーの位置合わせを作業者の視覚に従い容易に行い得る。更に、位置合わせ溝を少なくとも二つ設けることで、水平パネルに対する水平カバーの位置が、より的確に決定される。
【００１２】
上述までの収納ユニットにおいて、前記突起部は、外部部材との連結が可能な連結部を有する場合、前記垂直パネルは、垂直カバーによって覆われ、且つ、前記外部部材が前記連結部と連結することで該垂直カバーが該水平カバーに連結された状態で該連結部を有する突起部が前記位置合わせ溝内に嵌め込まれるようにしてもよい。
【００１３】
垂直パネルも、水平パネルと同様にその表面が垂直カバーによって覆われる。ここで、水平カバーと垂直カバーとを連結する際に、位置合わせ用の突起部が利用される。例えば、外部部材としてネジが例示され、このネジを利用して水平カバーと垂直カバーとを連結させる。そして、この連結された部位を位置合わせ溝内に配置することで、水平カバーを基準として両カバーを各パネル上に装着するとともに、カバーの連結部位を収納構造体の外部から目の届きにくい場所に配置することが可能となるため、水平カバーおよび垂直カバー取り付け時の収納ユニットのデザイン性を損なわせることが無く、両カバーの存在意義が低減することがない。
【００１４】
上述までの収納ユニットにおいて、二つの前記収納ユニットが、それぞれの垂直パネルが対向するように並べられるとき、その垂直パネル間に所定幅の間隙が形成されるようにしてもよい。即ち、収納ユニットが組み合わされて収納構造体を構築するときに、所定の目的に使用し得る該間隙が形成される。この間隙の大きさを決定する所定幅は、該間隙に与えられる使用目的に応じて決定される。従って、例えば、該間隙を収納ユニットに収納する情報機器の電源ケーブルや信号ケーブルを収納する目的で使用する場合は、それらのケーブルが収納し得る程度の所定幅を持てばよい。また、この間隙は、垂直パネルと垂直パネルとの間に形成されるため、該間隙の使用されている状況（例えば、上述の場合にお
ける収納されたケーブルの状況）は、収納構造体の外部からは目の届きにくい状態となっている。従って、水平カバーおよび垂直カバー取り付け時の収納ユニットのデザイン性を損なわせることが無く、両カバーの存在意義が低減することがない。
【００１５】
ここで、上述までの収納ユニットによって形成される収納構造体として、前記収納ユニットを水平方向に一又は複数個および垂直方向に一又は複数個並べることで形成される収納構造体であって、少なくとも、最上段の一又は複数の収納ユニットには共通する一の構造部材がそれぞれの上面の水平パネルの嵌め込み溝に組み込まれ、且つ最下段の一又は複数の収納ユニットには共通する他の構造部材がそれぞれの下面の水平パネルの嵌め込み溝に組み込まれる収納構造体が挙げられる。
【００１６】
このように収納構造体を構成することで、組み合わされた収納ユニットを上記一の構造部材と他の構造部材とで、上下にしっかりと挟んだ状態とすることが可能となる。更に、この構造部材を間に介して収納構造体が構築されるため、その組み立ても容易となる。尚、最上段と最下段の収納ユニットの嵌め込み溝に対してだけではなく、その中間の収納ユニットの嵌め込み溝に対しても、支持するための構造部材を配置してもよい。
【発明の効果】
【００１７】
空間構造体における収納スペースの構築にあたって、利用者の使用目的に応じて適宜収納スペースを構築することが可能となる、該収納スペース用の収納ユニットを提供することが可能となる。
【発明を実施するための最良の形態】
【００１８】
ここで、本発明に係る収納ユニットが使用される空間構造体の実施例について、図面に基づいて説明する。図１は、空間構造体１の全体の概要を示す図である。空間構造体１は、主に、複数の柱状体であるポール２ａ〜２ｊ（以下、まとめて「ポール２」とも称する。）と、複数の横梁体であるビーム３ａ〜３ｉ（以下、まとめて「ビーム３」とも称する。）、小ビーム４ａ〜４ｃ（以下、まとめて「小ビーム４」とも称する。）との組合せで構成されている。ポール２は床面から鉛直上方に延びて空間構造体１を支えるものであり、ビーム３、小ビーム４は床面に水平に延びポール２同士またはビーム３同士を結ぶ。
【００１９】
具体的には、図１に示す空間構造体１は矩形体を為しており、その四隅および長辺の中間近傍に六本のポール２ａ〜２ｆを有する。そして、これらのポール２ａ〜２ｆの頂部が七本のビーム３ａ〜３ｇによって連結されている。更に、図１手前のポール２ａと対向するようにポール２ｇが設けられ、該ポール２ａとポール２ｇとの間でブレス５が張られている。このポール２ｇは、ビーム３ａの途中に接続される。また、ポール２ａとポール２ｇの下部において床面に水平に延びる小ビーム４ａが接続されている。この小ビーム４ａ、ポール２ａ、２ｇ、ビーム３、ブレス５によって、空間構造体１の強度向上が図られる。
【００２０】
更に、ポール２ｅと対向するようにポール２ｈが設けられる。このポール２ｈは、ビーム３ｂの途中に接続される。そして、ポール２ｅとポール２ｈの間に二本の小ビーム４ｂが接続され、小ビーム４ｂとポール２ｅ、２ｈで囲まれた空間に棚６が設けられている。更に、ポール２ｃ、２ｄとの間に、ビーム３ｄの途中に接続されるポール２ｉ、２ｊが二本設けられる。そして、ポール２ｃ、２ｉ、２ｊ、２ｄの下部において、それぞれの間を小ビーム４ｃによって接続される。また、ポール２ｉ、２ｊの間にはスクリーン７が形成されている。このスクリーン７は、ビーム３ｇに吊り下げられて設置されるプロジェクタ８の投影面である。尚、このプロジェクタ８の重量によるビーム３ｇへの負荷を考慮して、補強のためにビーム３ｇとビーム３ｄの間にビーム３ｈ、３ｉが設けられている。また、このプロジェクタ８への信号は、棚６に収納されたコンピュータから与えられる。
【００２１】
このように空間構造体１は、コンピュータやプロジェクタ８等の情報機器が組み込まれ、その使用目的に応じて適宜、ポール、ビーム、小ビームを組合せることで構成される構造体である。従って、この空間構造体１は、図１に示すものには限られず、それぞれの使用目的に応じて適宜設計される。以下に、ポール、ビーム、小ビームの詳細な構造について説明する。
【００２２】
先ず、ポール２の説明を図２および図３に基づいて行う。図２はポール２の外観図であり、図３はポール２の断面図である。ポール２は、その断面において均等に四分割された形状を有する。中心部２０から四方に放射状に隔壁２１が伸び、ポール４の断面における正方形の頂点Ｐを形成する。そして、一の頂点Ｐから隣接する頂点Ｐに向かって、壁面２２が延びている。一の頂点Ｐから延びる壁面２２と、それに隣接する他の頂点Ｐから延びる壁面２２は、両頂点Ｐの中間手前まで延びており、両者は接触しない。従って、対向する壁面２２、２２（以下、「一対の壁面２２」と称する。）との間には、開口部２３が形成される。また、一対の壁面２２と隔壁２１と中心部２０とによって、溝部２４が形成される。これらの開口部２３および溝部２４は、図２に示すように、ポール２の軸心方向にその全長にわたって延びている。
【００２３】
更に、ポール２の断面の各頂点Ｐにおいて、各頂点Ｐからポール２の外方向に延出し、該頂点Ｐにつながる二つの壁面２２にそれぞれ直交する二つの外壁面２５が設けられている。その結果、一の頂点Ｐから延出する外壁面２５と、それに隣接する他の頂点Ｐから延出する外壁面２５は対向する。そして、この対向する外壁面２５と、これらとつながる一対の壁面２２とによって、ポール２の表面上に半閉空間である配線用溝部２６が形成される。この配線用溝部２６には、空間構造体１で使用される情報機器の電源ケーブルや信号ケーブルを収納することが可能である。また、配線用溝部２６にケーブルを収納すると外観のデザイン性が低下するため、図３に示す配線カバーを、配線用溝部２６を覆うように設けてもよい。
【００２４】
次に、ビーム３の説明を図４および図５に基づいて行う。図４はビーム３の外観図であり、図５はビーム３の断面図である。ビーム３の断面形状は、ポール２の断面形状とほぼ同一である。ビーム３の中心部３０、隔壁３１、壁面３２（一対の壁面３２）、開口部３３、溝部３４、頂点Ｑは、ポール２の中心部２０、隔壁２１、壁面２２（一対の壁面２２）、開口部２３、溝部２４、頂点Ｐにそれぞれ対応するので、これらの詳細な説明は省略する。
【００２５】
ビーム３においては、空間構造体１で使用される情報機器の電源ケーブルや信号ケーブルを収納するための配線用溝部の構成が、ポール２の場合と異なる。ビーム３では、図５に示すように、鉛直上方向および鉛直下方向の二方向にのみ配線用溝部３６、３８が形成される。ここで、鉛直上方向の配線用溝部３６を構成する外壁面３５の高さ（頂点Ｑからの外壁面３５の高さ）は、鉛直下方向の配線用溝部３８を構成する外壁面３７の高さ（頂点Ｑからの外壁面３７の高さ）よりも高く設計されている。これは、ビーム３が空間構造体１に組み込まれるとき、配線用溝部３６は鉛直上方向に開口するのでより多くのケーブルを収納すること可能となることが好ましいからである。もちろん、鉛直下方向の配線用溝部３８にもケーブルを収納することは可能であるが、外観のデザイン性が低下するため、その場合図５に示す配線カバーを、配線用溝部３８を覆うように設けてもよい。尚、ビーム３の水平方向の表面には、外壁面３５、３７に相当する壁面は設けられず、配線用溝部は存在しない。
【００２６】
次に、小ビーム４の説明を図６および図７に基づいて行う。図６は小ビーム４の外観図であり、図７は小ビーム４の断面図である。小ビーム４の断面形状は、ビーム３の横方向
は同一でその縦方向を圧縮したような形状となっている。即ち、ビーム３に比べて薄型のビームである。小ビーム４の中心部４０、隔壁４１、壁面４２（一対の壁面４２）、開口部４３、溝部４４、頂点Ｒは、ビーム３の中心部３０、隔壁３１、壁面３２（一対の壁面３２）、開口部３３、溝部３４、頂点Ｑにそれぞれ対応する。更に、小ビーム４においては、上記の配線用溝部２６、３６、３８に相当する空間は設けられていない。
【００２７】
上述のように構成部材であるポール２、ビーム３、小ビーム４によって構成される空間構造体１が有する棚６は、該空間構造体１で使用される情報機器やその他の物品を収納するための収納スペース、即ち収納構造体である。図８に棚６の詳細を示す。棚６は、床面から垂直に延びる二本のポール２と該ポール２を水平に結ぶ二本の小ビーム４（下側の小ビーム４は図示せず）によって形成される矩形体の空間に、横に２個縦に３個計６個の収納ユニット６０が組み込まれることで形成される。各収納ユニット６０は、それぞれ同一の寸法形状を有するユニットである。
【００２８】
図９に、収納ユニット６０の詳細な構成を示す。収納ユニット６０は一対の水平パネル６１を対向するように且つ一対の垂直パネル６２を対向するように、それぞれ環状に且つ矩形体状に連結することで、構成される。更に、収納ユニット６０の前面には、様々な装飾目的を有するフレーム６３（６３ａ、６３ｂ、６３ｃ）が設けられる。フレーム６３ａは、収納ユニット６０を通常の収納スペースとして使用するときのフレームであり、フレーム６３ｂは収納ユニット６０内に液晶ディスプレイ等の表示装置を収納する際の偏光板が組み込まれたフレームであり、フレーム６３ｃは収納ユニット６０内に収納する収納対象物に照明を与えられるように照明装置が組み込まれたフレームである。これらのフレームおよびそれ以外のフレームが選択的に、収納ユニット６０の前面に装着される。
【００２９】
また、垂直パネル６２についても、図９中に示されている穴開き垂直パネル６２ａを利用してもよい。この穴あき垂直パネル６２ａは、複数個の貫通孔６２ｂを有しており、収納ユニット６０が組み立てられたとき、貫通孔６２ｂによってその内部と外部とが繋がる。従って、収納ユニット６０内にプロジェクタ８用のパソコン等を収納するとき、その電源ケーブルや信号ケーブルを、外観を損ねることなく内部から外部へと配線することが可能となる。
【００３０】
また、収納ユニット６０の背面にも同様にフレーム６３ａやその他のフレームを設けてもよい。更に、背面においては収納ユニット６０を開放状態としないときは、バックパネル６４を装着することで収納ユニット６０の背面を塞いでもよい。
【００３１】
ここで、図１０に収納ユニット６０を上面から見た図、即ち水平パネル６１の表面を示す。尚、図１０においては、収納ユニット６０が二つ横に並べられた状態にある。水平パネル６１には、その横方向（対向する垂直パネル６２を結ぶ方向）に延びる嵌め込み溝７０が中央に設けられている。更に、この嵌め込み溝７０に平行な溝であって水平パネル６１の横端部に貫通する位置合わせ溝７１が、嵌め込み溝７０を挟んで二つずつ計四つ設けられている。更に、収納ユニット６０の表面のうち、外側に位置する垂直パネル６２の表面上には、該垂直パネル６２を覆う垂直カバー７２が設けられている。
【００３２】
ここで、嵌め込み溝７０は、上述の空間構造体１の構成部材である小ビーム４が嵌め込み可能な寸法形状を有している。従って、嵌め込み溝７０の幅は、小ビーム４の幅より若干広い寸法となる。そして、図１０に示すように収納ユニット６０を横に並べるとき、それぞれの嵌め込み溝７０は一直線上に位置する。従って、この一直線上に位置する嵌め込み溝７０に一本の小ビーム４が嵌め込まれることで、収納ユニット６０の空間構造体１への組み込みが行われる。
【００３３】
尚、本発明に係る収納ユニット６０は、図１０に示すように横に並べられたとき、一の収納ユニット６０の垂直パネル６２と、それに隣接する他の収納ユニット６０の垂直パネル６２との間に、所定幅の間隙７４が形成される。この間隙７４は、所定の目的で利用することが可能な空間であり、収納ユニット６０が図６に示すように縦に積み上げられるときこの間隙７４も縦に伸びる空間となる。例えば、収納ユニット６０の垂直パネルとして図９に示す穴開き垂直パネル６２ａを使用する場合、収納ユニット６０に収納される情報機器等の電源ケーブルや信号ケーブルを貫通孔６２ｂからこの間隙７４に導いて、その内部に配線することが可能となる。このようにすることで、配線による収納構造体の外観のデザイン性を損なう虞がない。
【００３４】
また、図６に示す棚６の場合とは異なり、この水平パネル６１表面にも、垂直パネル６２と同様にそこを覆う水平カバー７３（図１１を参照）を設けることも可能である。図１１は、水平カバー７３が組み込まれた収納ユニット６０を垂直パネル６２側（側面）から見た図である。この場合、図６のように最上段の収納ユニットの上面の水平パネル６１が有する嵌め込み溝７０に小ビーム４を嵌め込まず、図１１に示すように、収納ユニット６０が二つ縦に並べられた状態での二つの収納ユニット６０の間に、上側の収納ユニット６０の下面の水平パネル６１が有する嵌め込み溝７０と、下側の収納ユニット６０の上面の水平パネル６１が有する嵌め込み溝７０とに跨るように、小ビーム４が嵌め込まれている。
【００３５】
ここで、水平パネル６１に水平カバー７３が設置されるとき、両者の位置合わせが、水平パネル６１に設けられた位置合わせ溝７１と、水平パネル６１に設けられた突起部７３ａとの嵌め合わせによって行われる。この嵌め合わせを利用することで、水平パネル６１への水平カバー７３の設置が容易となる。また、この突起部７３ａにはネジ孔が設けられており、そのネジ孔は位置合わせ溝７１に沿った方向に形成されている。
【００３６】
更に、水平カバー７３と垂直カバー７２をともに収納ユニット６０に使用する場合は、図１２に示すように、先ず両カバー同士を連結させた後に、それを組み立てられた収納ユニット６０に装着する。具体的には、垂直カバー７２に設けられた貫通孔７２ａからネジを通し、水平カバー７３の突起部７３ａに設けられたネジ孔と該ネジが螺合することで、両カバーが連結される。そして、そのネジが螺合された突起部７３が位置合わせ溝７１に嵌め合わせられることで、両カバーの収納ユニット６０への装着が実現される。
【００３７】
ここで、図１３、１４に、複数の収納ユニット６０の集合体と、それに装着された水平カバー、垂直カバーとによって構成される収納構造体の実施例を示す。図１３には、いわゆる商品の陳列棚としての収納構造体が示されている。この陳列棚の骨格構造は、床面に設置され基礎部分となるベース部８１に左右二枚の垂直カバー７２、該垂直カバー７２を結ぶ水平カバー７３、および図示されてはいないが水平カバー７３とベース部７１を垂直方向に結ぶ６本の小ビーム４と垂直カバー７２同士を水平方向に結ぶ３本の小ビーム４とで構成される。即ち、水平カバー７３および垂直カバー７２も、収納構造体としての陳列棚の補強に寄与する。尚、水平カバー７３又は垂直カバー７２と小ビーム４との連結は適切なジョイントによって為される。また、垂直方向の小ビームは、上述した隣接する収納ユニット６０間に形成される間隙７４に配置される。
【００３８】
この骨格構造に対して、横に７列、縦に４段のマトリックス状に計２８個の収納ユニット６０が並べられる。このとき、各収納ユニットの嵌め込み溝７０には、骨格構造の水平方向の小ビーム４が嵌め合わせされる。尚、骨格構造の小ビーム４と各収納ユニット６０の組み立て方法については、組み立てが容易となる適切な方法が適宜採用される。さらにこの収納構造体では、そこに組み込まれた収納ユニット６０内には直接商品を収納、陳列はせず、各段の収納ユニットの前面に設けられた陳列板８０上に商品が陳列される。即ち
、収納ユニット６０が直接的な商品の収納ではなく、間接的な商品の収納を行っていることになる。
【００３９】
図１４には、直接的に収納対象物を収納する収納ユニット６０によって構成される収納構造体が示される。この収納構造体の骨格構造は、二本のポール２と、上部でそれらを連結するビーム３と、該ビーム３にＴ字状に連結するビーム３とで構成される、尚、図示してはいないが、後者のビーム３は、更にポール２に連結されて床面に支持される。
【００４０】
このように構成される骨格構造のポール２間に更に小ビーム（図示せず）を連結して、図１３に示す収納構造体のように複数の収納ユニット６０を組み込むことで、図１４に示す収納構造体が形成される。この収納構造体は、オフィス等の多くの人が集まるような空間に設けられるのに適している。
【図面の簡単な説明】
【００４１】
【図１】本発明の実施例に係る収納ユニットが組み込まれる空間構造体の概略構成を示す図である。
【図２】本発明の実施例に係る収納ユニットが組み込まれる空間構造体を構成するポールの外観図である。
【図３】図２に示すポールの断面図である。
【図４】本発明の実施例に係る収納ユニットが組み込まれる空間構造体を構成するビームの外観図である。
【図５】図４に示すビームの断面図である。
【図６】本発明の実施例に係る収納ユニットが組み込まれる空間構造体を構成する小ビームの外観図である。
【図７】図６に示す小ビームの断面図である。
【図８】図１示す空間構造体に組み込まれる棚の概略構成を示す図である。
【図９】本発明の実施例に係る収納ユニットの構成を示す図である。
【図１０】本発明の実施例に係る収納ユニットの上面図である。
【図１１】本発明の実施例に係る収納ユニットの側面図である。
【図１２】本発明の実施例に係る収納ユニットに連結される水平カバーおよび垂直カバーを示す図である。
【図１３】本発明の実施例に係る収納ユニットで構成される収納構造体の図である。
【図１４】本発明の実施例に係る収納ユニットで構成される収納構造体の図である。
【符号の説明】
【００４２】
１・・・・空間構造体
２（２ａ〜２ｊ）・・・・ポール
３（３ａ〜３ｉ）・・・・ビーム
４（４ａ〜４ｃ）・・・・小ビーム
６・・・・棚
６０・・・・収納ユニット
６１・・・・水平パネル
６２、６２ａ・・・・垂直パネル
７０・・・・嵌め込み溝
７１・・・・位置合わせ溝
７２・・・・垂直カバー
７２ａ・・・・貫通孔
７３・・・・水平カバー
７３ａ・・・・突起部
７４・・・・間隙
【図１】
0004452677.tif 000002
【図２】
0004452677.tif 000003
【図３】
0004452677.tif 000004
【図４】
0004452677.tif 000005
【図５】
0004452677.tif 000006
【図６】
0004452677.tif 000007
【図７】
0004452677.tif 000008
【図８】
0004452677.tif 000009
【図９】
0004452677.tif 000010
【図１０】
0004452677.tif 000011
【図１１】
0004452677.tif 000012
【図１２】
0004452677.tif 000013
【図１３】
0004452677.tif 000014
【図１４】
0004452677.tif 000015